(57)【要約】【課題】  計測データの測量を簡便に行え得られた計測データの記録を自動で行える測量システムを提供することである。【解決手段】  本発明の測量システムは、意味を持つ符号化されたパターン情報が印刷された測量用具と、測定用具のパターン情報に基づいて計測データを入力して計測データを収集しコンピュータに送信する採寸用具とを備える。【選択図】  図１
2006252371.tif 000002
【特許請求の範囲】
【請求項１】
意味を持つ符号化されたパターン情報が印刷された測量用具と、
前記測定用具のパターン情報に基づいて計測データを収集しコンピュータに送信する採寸用具とを備えたことを特徴とする測量システム。
【請求項２】
意味を持つ符号化されたパターン情報が印刷された測量用具と、
意味を持つ符号化されたパターン情報及び測量に必要な項目欄が印刷され、
測量したデータ収集のために使用されるデータ帳票と、
前記測定用具のパターン情報と前記データ帳票の項目欄とに基づいて計測データを収集しコンピュータに送信する採寸用具とを備えたことを特徴とする測量システム。
【発明の詳細な説明】
【技術分野】
【０００１】
本発明は、意味を持つ符号化されたパターン情報が印刷された測量用具を用いて電子的にデータを計測して処理する測量システムに関する。
【背景技術】
【０００２】
例えば、服や靴をオーダメードする場合には、その人の体や足の寸法を計測し体や足の大きさに合った服や靴を製造することになる。人の体や足の寸法の計測は、例えば巻尺や物差し等の測量用具を用いて計測するが、その場合、計測対象に巻尺や物差し等の測量用具を当て目盛を合わせて計測するようにしている。そして、測量から得たデータの記録は、筆記か暗記によって一時記憶されて収集され、後に用紙に記載して保存している。ＣＡＤなどコンピュータが使用される場合には、計測データはコンピュータへ入力している。
【０００３】
意味を持つ符号化されたパターン情報を用紙に印刷した光学読み取り用の符号化用紙がある（例えば、特許文献１参照）。また、被測定物が記載されている図面等の上に載置され、タッチセンサ付ドットマトリクス液晶ディスプレイからなるメインディスプレイにより、被測定物である図面に対応する指定点を入力し、被測定点の座量データを基に、直線、２直線のなす角度、曲線等の長さ、あるいは領域の面積等を演算部によって算出して、その演算結果をメインディスプレイに表示するようにしたものがある（例えば、特許文献２参照）。
【特許文献１】特表２００３−５１１７６１号公報
【特許文献２】特開平６−１８２５０号公報
【発明の開示】
【発明が解決しようとする課題】
【０００４】
しかし、特許文献１のものは光学読み取り用の符号化用紙であり、その符号化用紙を用いて計測データを収集する工夫は開示されていない。また、特許文献２のものは被測定点の座量データを基に、直線、２直線のなす角度、曲線等の長さ、あるいは領域の面積等を算出するものであるが、計測データをどのように応用し管理するかについての工夫がない。
【０００５】
例えば、計測データが服や靴の寸法である場合には、どの部分の寸法であるのか、また誰の寸法であるのか等のデータも含めて管理することが必要である。そのような寸法を従来の巻尺や物差し等の測量用具を用いて計測した場合には、データの読み取りや採取したデータの記録に手間がかかり、間違いが発生しやすいという問題があった。
【０００６】
本発明の目的は、計測データの測量を簡便に行え得られた計測データの記録を自動で行える測量システムを提供することである。
【課題を解決するための手段】
【０００７】
請求項１の発明に係わる測量システムは、意味を持つ符号化されたパターン情報が印刷された測量用具と、前記測定用具のパターン情報に基づいて計測データを入力して計測データを収集しコンピュータに送信する採寸用具とを備えたことを特徴とする。
【０００８】
請求項２の発明に係わる測量システムは、意味を持つ符号化されたパターン情報が印刷された測量用具と、意味を持つ符号化されたパターン情報及び測量に必要な項目欄が印刷され、測量したデータ収集のために使用されるデータ帳票と、前記測定用具のパターン情報に基づいて計測データを入力するとともに前記データ帳票の項目欄に基づいて計測データを収集しコンピュータに送信する採寸用具とを備えたことを特徴とする。
【発明の効果】
【０００９】
本発明によれば、計測データの採取と同時に電子化できるので、計測データの採取と記録との間に時間差がなく時間を節約できる。また、データ入力は採寸用具により意味を持つ符号化されたパターン情報により入力するので、特別のデータ入力のための労力を必要としない。従って、人件費を節約できデータ入力の間違いの危険が少ない。また、測量過程においてデータ記録する必要がないので記録の間違いの危険が少ない。さらに、人の目でのデータ読み取る必要がないので、読み間違いの危険が少ない。
【００１０】
例えば、オーダメードの服や靴などの場合、設計や生産システムなどソフトとの連携で、採寸から設計の一連作業が自動的に効率よく行うことができる。また、取れた注文を時間差がなく生産計画に取り組むことができる
【発明を実施するための最良の形態】
【００１１】
以下、本発明の実施の形態を説明する。図１は本発明の第１の実施の形態に係わる測量システムの構成図である。図１では測定用具１１が巻尺であり、その巻尺で測定対象物１２の周囲長を測定する場合を示している。測定用具１１には、意味を持つ符号化されたパターン情報が印刷されている。
【００１２】
測定対象物１２の周囲長を測定するには、通常の巻尺と同じ使い方で測定用具１１を測量対象物１２に当て測量対象物１２の周囲を１周させる。そして、測定用具１１の計測始点と計測終点とをペン状採寸用具１３で指示する。ペン状採寸用具１３のペン先は、例えば、ボールペンの芯の部分が採点針に代替されて、測りやすいための外形設計となっている。また、ペン状採寸用具１３で測定用具１１の計測始点と計測終点とを指示するだけでなく、実際に点か線を書くようにしても良い。
【００１３】
これにより、ペン状採寸用具１３は、測定用具１１の計測始点及び計測終点を符号化されたパターン情報から識別し、その計測データをペン状採寸用具１３内部の記憶装置に記憶する。そして、計測データを取り終わったら送信指示用紙１４にチェックを入れ、図示省略のコンピュータに計測データを送信する。
【００１４】
ここで、ペン状採寸用具１３は、意味を持つ符号化されたパターン情報が印刷された用紙に通常のペンと同じ使い方で、文字や画を書いたら、ペンの位置情報 、ペンの軌跡（書き順）、書く速さ 、筆圧 、書いた日時 、ペンの傾きなどのデータが符号化されたパターン情報に基づき記録する機能を有するものである。
【００１５】
また、送信指示用紙１４にも同様に、意味を持つ符号化されたパターン情報が印刷されており、送信指示用紙１４にチェックを入れることで、測定データをコンピュータに転送しても良いことを意味する情報であると予め設定しておく。送信指示用紙１４は符号化されたパターン情報が印刷された測量用具１１の一部分に形成し、測量用具１１と一体としても良いし、第１の実施の形態にように別に切り離して、単独の一枚の用紙に印刷して使用しても良い。
【００１６】
第１の実施の形態によれば、通常の測量用具の目盛りを読むことで、生じる誤読や誤差を避けることができ、測量時の労力を軽減できる。また、採集した計測データをコンピュータで読み込むことができるので、デザインソフトなどへのデータの手入力は必要がなく直接的に計測データを使用できる。
【００１７】
次に、本発明の第２の実施の形態を説明する。この第２の実施の形態は、第１の実施の形態に対し、意味を持つ符号化されたパターン情報及び測量に必要な項目欄が印刷されたデータ帳票を追加して設け、データ帳票を測量したデータ収集のために使用するようにしたものである。第２の実施の形態では、服のオーダメードの採寸に適用した場合を例にとり説明する。
【００１８】
一般に、オーダメードの注文受けてからの手順は以下のような手順となる。
【００１９】
（１）聞取：お客様の希望を聞き取る（記入）
（２）採寸：サイズを採取し記録する
（３）生産：データの伝達及び製品によっての担当者の振り分け
（４）試着：寸法修正
（５）修正：修正のため生産部門に戻す（データの伝達）
（６）納品：受領サイン、評価(お客様意見など)の記入
そこで、第２の実施の形態では、前述した各々の各手順（１）〜（６）で以下のような作業を行うことになる。
【００２０】
（１）聞取
図２に示すデータ帳票１５を予め用意しておき、お客様名、年齢、性別、お客様希望などをペン状採寸用具１３を用いてデータ帳票１５に記入する。ペン状採寸用具１３を用いて、意味を持つ符号化されたパターン情報が印刷されたデータ帳票１５に通常のペンと同じ使い方で、文字や画を書いたら、前述したように、ペンの位置情報 、ペンの軌跡（書き順）、書く速さ 、筆圧 、書いた日時 、ペンの傾きなどのデータが符号化されたパターン情報に基づきペン状採寸用具１３内の記憶部に記録される。なお、送信指示用紙１４は図２に示すデータ帳票１５に一体的に設けられている。
【００２１】
（２）採寸
図３に示すように、意味を持つ符号化されたパターン情報が印刷された測定用具１１及びペン状採寸用具１３を用いて、お客様の寸法を採寸する。すなわち、意味を持つ符号化されたパターン情報が印刷されてある測定用具（巻尺）１１を通常の巻尺と同じ使い方で、測量対象であるお客様の体に当て、ペン状採寸用具１３で測量始点Ｍと測量終点Ｎとに点か線を書くか、もしくは測量始点Ｍと測量終点Ｎとを指示する。これで一つの寸法を採集できる。また、このデータがどこの寸法であるかは、データ帳票１５のフォマットの設計によって採寸操作手順はいろいろある。以下にその例を挙げる。なお、実設計ではこれら例に記述した設計方法から一つか複数を組み合わせでの設計も可能である。
【００２２】
例１：データ帳票１５に印刷された採取対象の寸法名の横にチェックをして、その後、採取したデータはその対象のデータとする。「採取前」や「採取後」の欄を設け、寸法名の横をチェックする前に採集したデータも指定できるような設計も可能である。
【００２３】
例２：事前に決めた順番で採寸する。一般にベテランの人には習慣的な測り順があるので、その習慣的な測り順とする。
【００２４】
例３：別途、選択用カードを用意し、採取する際に採取対象データ名をペンでチェック入れるかクリックすることで、寸法名と採取のデータとの関連をつける。
【００２５】
例４：コンピュータなどアプリケーションとの連携でアプリケーション上で採寸予定の場所を指定してから採寸を行う。
【００２６】
（３）生産
採寸が完了すると、図４のルートＲ１に示すように、ペン状採寸用具１３で採取したデータをペン状採寸用具１３から管理ソフトを搭載したコンピュータ１６へ送る。一方、出張サービスで採寸した箇所が店舗ではない場合には、ルートＲ２に示すように、携帯電話などのモバイル端末１７経由でのデータ転送も可能としている。
【００２７】
そして、採寸したデータが確定したら、製品の種類によって、それぞれの生産部門に転送する。また、生産時にペン状採寸用具１３や測定用具（巻尺）１１で製品の製作寸法を測り、図５に示すようにデータベースシステムに保存する。
【００２８】
（４）試着
お客様の試着により、採寸部門で変更必要な寸法をペン状採寸用具１３及び測定用具（巻尺）１１で採集し、変更必要な寸法が確定したらそのデータを生産部門に送る。
【００２９】
（５）修正
生産部門は送られてきたデータに基づいて修正し、担当者のサインとかをシステムに保存することで品質管理記録として利用可能である。
【００３０】
（６）納品
製品の納品時に、受領サインやお客様意見などをペン状採寸用具１３で記入し、そのデータを顧客管理システムの当該お客様カードに添付し、情報データベースとして活用できる。
【００３１】
第２の実施の形態によれば、意味を持つ符号化されたパターン情報が印刷された測定用具１１及びペン状採寸用具１３に加え、意味を持つ符号化されたパターン情報が印刷されかつ測量に必要な項目欄が印刷されたデータ帳票１５を測量したデータ収集のために使用するので、測量ミスや記入ミスを防ぐことができる。また、採集したデータは電子データであるので、コンピュータ１６による整理や保存がされ易く、またこれらのデータ利用する他のシステムへの転用も簡単になる。
【００３２】
データのコンピュータ１６への手入力の一環を省くことで、注文を受けてから生産にデータを反映までの時間差を無くすことができ、採寸した後の操作が自動化され易いので、設計や生産のスピードアップを図ることができる。また、出張サービスでお客先で採集したデータも即時に本部に送ることができるので、すぐ生産計画に取り組むことができる。
【００３３】
次に、本発明の第３の実施の形態を説明する。図６は本発明の第３の実施の形態に係わる測量システムの構成図である。この第３の実施の形態は、意味を持つ符号化されたパターン情報が印刷された測量用具として、第１の測量用具（巻尺）１１ａと第２の測量用具（下敷き板）１１ｂとを用いて、靴のオーダメードの採寸に適用した場合を示している。この場合の採寸の手順は以下の通りである。
【００３４】
（１）意味を持つ符号化されたパターン情報が印刷されてある第１の測量用具（巻尺）１１ａと、意味を持つ符号化されたパターン情報が印刷されてある第２の測量用具（下敷き板）１１ｂと、ペン状採寸用具１３とを使用する。
【００３５】
（２）採寸される足を第２の測量用具（下敷き板）１１ｂに載せ、ペン状採寸用具１３で足の外囲を一周なぞる。
【００３６】
（３）第１の測量用具（巻尺）１１ａは、通常の巻尺と同じ使い方で必要な寸法を測り、ペン状採寸用具１３で測量始点Ｍと測量終点Ｎとに点か線を書く。もしくはその測量始点Ｍと測量終点Ｎとを指示する。
【００３７】
（４）全部のデータを取り終わったら、送信指示用紙１４にチェックを入れる。
【００３８】
（５）ペン状採寸用具１３とコンピュータ１６との直接的な接続、またはペン状採寸用具１３と携帯電話等のモバイル端末１７を介してのコンピュータ１６との接続によって、データは指定されたコンピュータ１６へ転送され、コンピュータ１６に搭載された専用ソフトでデータのリストアップや保存転用などを行う。
【００３９】
第３の実施の形態によれば、採集したデータは電子データであるため、コンピュータ１６によるデータの整理、保存、運用がやり易い。また、データのコンピュータ１６への入力の手入力の一環を省くことができるので、採寸した後の操作が自動化され易く、設計や生産のスピードアップを図ることができる。また、出張サービスでお客先で採集したデータは即時に本部に送ることができ、すぐ生産に取り組むことができる。
【図面の簡単な説明】
【００４０】
【図１】本発明の第１の実施の形態に係わる測量システムの構成図。
【図２】本発明の第の実施の形態におけるデータ帳票の説明図。
【図３】本発明の第２の実施の形態に係わる測量システムでの採寸の説明図。
【図４】本発明の第２の実施の形態に係わる測量システムでのデータ送信の説明図。
【図５】本発明の第２の実施の形態に係わる測量システムのデータベースシステムの説明図。
【図６】本発明の第３の実施の形態に係わる測量システムの構成図。
【符号の説明】
【００４１】
１１…測定用具、１２…測定対象物、１３…ペン状採寸用具、１４…送信指示用紙、１５…データ帳票、１６…コンピュータ、１７…モバイル端末
【図１】
2006252371.tif 000003
【図２】
2006252371.tif 000004
【図３】
2006252371.tif 000005
【図４】
2006252371.tif 000006
【図５】
2006252371.tif 000007
【図６】
2006252371.tif 000008